(57)【要約】【課題】シャックル本体の両端部に通される連結軸の抜け止めを備えた、構造簡単で部材点数の少ないシャックルを提供する。【解決手段】一端部２ａに軸挿通孔４を形成し且つ他端部２ｂには軸挿通孔４と同軸線上にネジ孔５を形成したＵ字形のシャックル本体２と、シャックル本体２の軸挿通孔４に常時挿通されていて、シャックル本体２の両端部２ａ，２ｂをつなぐ連結軸３とからなり、連結軸３の一端部には、軸挿通孔４より径大で、その軸挿通孔４の外側に位置する操作部６を設け、他端部にはネジ孔５に螺合するネジ部７を設けると共に、ネジ部７の手前側には軸挿通孔４からの連結軸３の抜け出しを阻止する抜け止め部８を設ける。【選択図】図３
0003155048.tif 000002
【実用新案登録請求の範囲】
【請求項１】
一端部に軸挿通孔を形成し且つ他端部には前記軸挿通孔と同軸線上にネジ孔を形成したＵ字形のシャックル本体と、シャックル本体の軸挿通孔に常時挿通されていて、シャックル本体の両端部をつなぐ連結軸とからなり、連結軸の一端部には、前記軸挿通孔より径大で、その軸挿通孔の外側に位置する操作部を設け、他端部には前記ネジ孔に螺合するネジ部を設けると共に、このネジ部の手前側には前記軸挿通孔からの連結軸の抜け出しを阻止する抜け止め部を設けてなるシャックル。
【請求項２】
前記抜け止め部は、カシメによって連結軸と一体に形成される請求項１に記載のシャックル。
【請求項３】
前記連結軸がシャックル本体の軸挿通孔に挿通された後に抜け止め部がカシメによって形成される請求項２に記載のシャックル。
【請求項４】
前記カシメによる抜け止め部は、連結軸の周方向一定間隔おきに複数設けられ、各抜け止め部は、連結軸の外周面から円弧状に突出する突起部からなる請求項２又は３に記載のシャックル。
【考案の詳細な説明】
【技術分野】
【０００１】
本考案は、鉄骨等の建設資材、その他の吊り上げ対象物を高所に吊り上げる場合に使用されるシャックルに関する。
【背景技術】
【０００２】
従来この種のシャックルは、両端部にボルト挿通孔を形成したＵ字形のシャックル本体と、このシャックル本体の両端部をつなぐ連結軸とからなり、連結軸は、頭付きボルトとナットからなるもので、このシャックルを使用して鉄骨等の建設資材を高所に吊り上げる場合には、Ｕ字形のシャックル本体の両端部に形成されたボルト挿通孔を、建設資材に設けられた吊下げ孔に一致させて、その吊下げ孔とシャックル本体両端部のボルト挿通孔とにわたりボルトを挿通させ、その挿通端部にナットを螺合して抜け止めした後、巻上機のワイヤーをボルトに連結し、そのワイヤーを巻上機の巻取ドラムで巻き取って建設資材を吊り上げる。そして、その建設資材を所定高さまで吊り上げた後、ボルトを引き抜いて、建設資材からシャックルを取り外すようにしている。
【０００３】
上記のようなシャックルでは、シャックル本体とボルトとが非連結構造であるために、建設資材等の吊り上げ対象物からシャックルを取り外す際に、連結軸を誤って落下させるおそれがあり、非常に危険であった。
【０００４】
そこで、下記特許文献１に記載のようなシャックルが提供されている。即ち、このシャックルは、シャックル本体とボルトの頭部との間、及びシャックル本体とナットとの間に夫々を連結状態に保持する脱落防止手段を設けるようにしたものである。これによれば、シャックルを取り外す際にボルト及びナットを落下させることがなく、安全である。
【先行技術文献】
【特許文献】
【０００５】
【特許文献１】特開２００５−２４０９１号公報
【考案の概要】
【考案が解決しようとする課題】
【０００６】
ところが、上記特許文献１に記載のようなシャックルでは、ボルト及びナットの夫々に脱落防止手段を設ける必要があるため、シャックル全体の部材点数が多く、製作コストが高くつくという難点がある。
【０００７】
本考案は、上記の課題に鑑み、シャックル本体の両端部に通される連結軸の抜け止めを備えた、簡単な構造で部材点数の少ないシャックルを提供することを目的とする。
【課題を解決するための手段】
【０００８】
上記課題を解決するための手段を、後述する実施形態の参照番号を付して説明すると、請求項１に係る考案のシャックルは、一端部２ａに軸挿通孔４を形成し且つ他端部２ｂには前記軸挿通孔４と同軸線上にネジ孔５を形成したＵ字形のシャックル本体２と、シャックル本体２の軸挿通孔４に常時挿通されていて、シャックル本体２の両端部２ａ，２ｂをつなぐ連結軸３とからなり、連結軸３の一端部には、前記軸挿通孔４より径大で、その軸挿通孔４の外側に位置する操作部６を設け、他端部には前記ネジ孔５に螺合するネジ部７を設けると共に、このネジ部７の手前側には前記軸挿通孔４からの連結軸３の抜け出しを阻止する抜け止め部８を設けてなることを特徴とする。
【０００９】
請求項２は、請求項１に記載のシャックルにおいて、前記抜け止め部８は、カシメによって連結軸３と一体に形成されることを特徴とする。
【００１０】
請求項３は、請求項２に記載のシャックルにおいて、前記連結軸３がシャックル本体２の軸挿通孔４に挿通された後に抜け止め部８がカシメによって形成されることを特徴とする。
【００１１】
請求項４は、請求項２又は３に記載のシャックルにおいて、前記カシメによる抜け止め部８は、連結軸３の周方向一定間隔おきに複数設けられ、各抜け止め部８は、連結軸３の外周面から円弧状に突出する突起部からなることを特徴とする。
【考案の効果】
【００１２】
上記解決手段による考案の効果を、後述する実施形態の参照番号を付して説明すると、請求項１に係るのシャックル１は、一端部２ａに軸挿通孔４を形成し、他端部２ｂにネジ孔５を形成したＵ字形のシャックル本体２と、シャックル本体２の軸挿通孔４に常時挿通されていて、シャックル本体２の両端部２ａ，２ｂをつなぐ連結軸３とからなるもので、連結軸３の一端部に、前記軸挿通孔４より径大で、その軸挿通孔４の外側に位置する操作部６を設け、他端部には前記ネジ孔５に螺合するネジ部７を設けると共に、ネジ部７の手前側に抜け止め部８を設けているので、連結軸３のネジ部７を緩めてネジ孔５から抜き取り、吊上げ対象物１０からシャックル１を取り外す際に、連結軸３は、一端部の操作部６及びネジ部７の手前の抜け止め部８によって、シャックル本体２からの落下を確実に防止される。
【００１３】
そして特にこのシャックル１は上記のようにシャックル本体２と連結軸３とからなるもので、連結軸３は、一端部に操作部６を設け、他端部側のネジ部７手前側に抜け止め部８を設けただけのきわめて簡単な構造で、部材点数が少ないから、製作コストを安くできる大きな効果がある。
【００１４】
請求項２に係る考案によれば、抜け止め部８は、カシメによって連結軸３と一体に形成されるから、抜け止め部８の形成が容易である。
【００１５】
請求項３に係る考案によれば、連結軸３をシャックル本体２の軸挿通孔４に挿通した後に連結軸３をカシメ加工して抜け止め部８を形成するから、軸挿通孔４への連結軸３の挿入に支障を来すことがなく、シャックル１の組み付けが容易となる。
【００１６】
請求項４に係る考案によれば、カシメによる抜け止め部８は、連結軸３の周方向一定間隔おきに複数設けたもので、各抜け止め部８は、連結軸３の外周面から円弧状に突出する突起部からなるため、連結軸３の抜け止め効果が良好で、外観上の体裁も良好となる。
【図面の簡単な説明】
【００１７】
【図１】(a) は本考案に係るシャックルの正面図、(b) は同シャックルの左側面図、(c) は同シャックルの右側面図である。
【図２】連結軸をシャックル本体の軸挿通孔に挿通した後にカシメによって抜け止め部を形成する状態を説明する説明図である。
【図３】(a) はシャックル本体のネジ孔から連結軸のネジ部を抜いて手前側へ引っ張っている状態を示す斜視図、(b) は連結軸が抜け止め部によって軸挿通孔から抜け出しを阻止される状態を示す一部断面正面図である。
【考案を実施するための形態】
【００１８】
以下に本考案の好適な実施形態について図１〜図３を参照しながら説明すると、図面において１は本考案のシャックルで、このシャックル１は、Ｕ字形のシャックル本体２と、このＵ字形シャックル本体２の両端部をつなぐ連結軸３とによって構成される。
【００１９】
シャックル本体２は、図１の(a) 〜(c) に示すように、正面視がＵ字形、側面視がＩ字形に形成されていて、その一端部２ａには軸挿通孔４が形成され且つ他端部２ｂには軸挿通孔４と同軸線上にネジ孔５が形成されている。
【００２０】
連結軸３は、シャックル本体２の軸挿通孔４に常時挿通されるもので、この連結軸３の一端部には、シャックル本体２の軸挿通孔４よりも径大で、その軸挿通孔４の外側に位置する略リング状の操作部６が一体に形成され、連結軸３の他端部にはシャックル本体２のネジ孔５に螺合するネジ部７が形成されると共に、このネジ部７の手前側に前記軸挿通孔４からの連結軸３の抜け出しを阻止する抜け止め部８が、ネジ部７の内端部に隣接して形成されている。尚、連結軸３の一端部に形成された操作部６は、連結軸３を回転させたり、押し引きする機能を有すると共に、軸挿通孔４からの連結軸３の抜け出しを阻止する機能を有し、従って連結軸３は、この操作部６とネジ部７の手前側の抜け止め部８とによって、抜け出しを阻止されるようになっている。
【００２１】
連結軸３の抜け止め部８は、カシメによって連結軸３と一体に形成されている。この抜け止め部８をカシメによって形成するには、図２に示すように、未だカシメ加工をしていない連結軸３をそのネジ部７側端部から、シャックル本体２の一端部２ａの軸挿通孔４に挿通した後、この連結軸３を適宜固定した状態で、図示しないカシメ機によってネジ部７の手前側所定箇所に抜け止め部８を形成する。
【００２２】
この抜け止め部８は、連結軸３の周方向１８０°の間隔で２つ形成され、各抜け止め部８は、図１〜図３から分かるように、連結軸３の外周面から円弧状に突出する突起部からなるものとする。このように各抜け止め部８を円弧状の突起部とすることにより、連結軸３の抜け止め効果が良好で、外観上の体裁も良い。
【００２３】
上記のように構成されるシャックル１を使用して、建設資材等の吊上げ対象物を吊り上げる時は、図１の仮想線で示すような巻上機の巻上げワイヤー９の先端部にシャックル１を取り付け、このシャックル１を吊上げ対象物１０に連結して、巻上げワイヤー９の巻取りにより吊上げ対象物１０を吊り上げる。
【００２４】
吊上げ対象物１０に対するシャックル１の連結は、図１の(a) に示すように、Ｕ字形シャックル本体２の一端部２ａの軸挿通孔４に挿通されている連結軸３のネジ部７を緩めてシャックル本体２の他端部２ｂのネジ孔５から引き抜いた状態で、このＵ字形シャックル本体２を、吊上げ対象物１０に形成された吊下げ孔１０ａに通し、連結軸３には巻上機の巻上げワイヤー９の下端ループ部９ａを挿通して取り付け、そして連結軸３の操作部６をネジ部７のねじ込み方向に回転操作して、そのネジ部７をネジ孔５にねじ込んで締め付ければよい。
【００２５】
そうして、吊上げ対象物１０を所定高さまで吊り上げたならば、連結軸３の操作部６をネジ部７の緩み方向に回転操作して連結軸３のネジ部７をシャックル本体２の他端部２ｂのネジ孔５から抜き取った後、連結軸３を手前側へ引っ張って、図３の(b) に示すような状態で、吊上げ対象物１０とシャックル１との連結を解除する。
【００２６】
図３の(b) はシャックル１の連結解除状態を示す。この図３の(b) から分かるように、連結軸３をその操作部６を手前側へ引っ張ると、抜け止め部８がシャックル本体２の一端部２ａの軸挿通孔４に引っ掛かって、連結軸３の抜け出しが阻止されるため、連結軸３が落下することはなく、この連結軸３の落下による怪我の発生等の不測の事態を未然に防止でき、きわめて安全である。
【００２７】
以上のように、このシャックル１は、一端部２ａに軸挿通孔４を形成し且つ他端部２ｂにネジ孔５を形成したＵ字形のシャックル本体２と、シャックル本体２の軸挿通孔４に常時挿通されていて、シャックル本体２の両端部２ａ，２ｂをつなぐ連結軸３とからなるもので、連結軸３の一端部に、前記軸挿通孔４より径大で、その軸挿通孔４の外側に位置する操作部６を設け、他端部には前記ネジ孔５に螺合するネジ部７を設けると共に、ネジ部７の手前側に抜け止め部８を設けているので、連結軸３のネジ部７を緩めてネジ孔５から抜き取って、吊上げ対象物１０からシャックル１を取り外す際に、連結軸３が落下するのを確実に防止することができる。
【００２８】
そして、このシャックル１は、上記のようにシャックル本体２と連結軸３とからなるもので、連結軸３は、一端部側に操作部６を設け、他端部側のネジ部７手前側に抜け止め部８を設けただけのきわめて簡単な構造で、部材点数が少ないから、製作コストを安くすることができる。
【００２９】
また、このシャックル１では、抜け止め部８を、カシメ加工によって連結軸３と一体に形成するから、抜け止め部８の形成が容易である。またこの場合、連結軸３をシャックル本体２の軸挿通孔４に挿通した後、連結軸３をカシメ加工して抜け止め部８を形成するから、軸挿通孔４への連結軸３の挿入に支障を来すことがなく、シャックル１の組み付けが容易となる。
【符号の説明】
【００３０】
１            シャックル
２            シャックル本体
２ａ          シャックル本体の一端部
２ｂ          シャックル本体の他端部
３            連結軸
４            軸挿通孔
５            ネジ孔
６            操作部
７            ネジ部
８            抜け止め部
【図１】
0003155048.tif 000003
【図２】
0003155048.tif 000004
【図３】
0003155048.tif 000005